(57)【要約】  【目的】装置の大型化やコストアップを招くことなく、記録装置内に浮遊したインクミストに起因して回路基板の導体露出部にインクが付着した場合でも、該インクによる導体露出部間のショートを防止し、該ショートに起因する誤動作を防止する。  【構成】回路基板７０３に制御素子７０４の複数の端子７０４ａ〜７０４ｄを接続するために該回路基板に設けられた複数の導体露出部７０５ａ〜７０５ｄの、対向する導体露出部間に、該回路基板の裏表を貫通する貫通孔７０６を設ける。【選択図】                図５
2005161764.tif 000002
【特許請求の範囲】
【請求項１】
記録手段から記録媒体にインクを吐出して記録を行うインクジェット記録装置で用いられる回路基板において、
制御素子が複数の導体露出部を介して実装され、該制御素子における隣り合う導体露出部間に貫通孔が形成されていることを特徴とする回路基板。
【請求項２】
前記貫通孔は隣接する導体露出部の少なくとも一方より長く伸延して形成されていることを特徴とする請求項１に記載の回路基板。
【請求項３】
前記制御素子はスイッチ素子であることを特徴とする請求項１又は２に記載の回路基板。
【請求項４】
前記スイッチ素子は、その底面をスイッチ素子保持部材に当接させて固定されていることを特徴とする請求項１〜３のいずれかに記載の回路基板。
【請求項５】
前記スイッチ素子保持部材が回路基板の一部であることを特徴とする請求項１〜４のいずれかに記載の回路基板。
【請求項６】
前記スイッチ素子保持部材が装置本体のシャーシの一部であることを特徴とする請求項１〜４のいずれかに記載の回路基板。
【請求項７】
記録媒体にインクを吐出して記録を行う記録手段と、制御手段としての回路基板と、を備えたインクジェット記録装置において、
前記回路基板に制御素子が複数の導体露出部を介して実装され、該制御素子における隣り合う導体露出部の間の前記回路基板の部位に、該回路基板を貫通する貫通孔が形成されていることを特徴とするインクジェット記録装置。
【発明の詳細な説明】
【技術分野】
【０００１】
本発明は、  記録手段から記録媒体にインクを吐出して記録を行うインクジェット記録装置で用いられる回路基板、並びに該回路基板を備えたインクジェット記録装置に関する。
【背景技術】
【０００２】
プリンタ、ファクシミリあるいは複写機等の機能を有する記録装置の一形態として、記録手段としての記録ヘッドから記録用紙等の記録媒体へインクを吐出して記録を行うインクジェット記録装置が普及している。このインクジェット記録装置は、微細な吐出口から飛翔するインク滴を記録媒体の表面に着弾させて画像を形成するものである。このようなインクジェット記録装置は、普通紙のみならず、表面にインク受容層を設けたコート紙、厚手の用紙にインク受容層を設けた光沢紙、はがき用紙、銀塩写真に類似した画像品位を可能にした写真用紙など、さまざまな記録媒体への記録（印刷）が可能であり、近年、特に、インクジェット年賀はがきとしての用途や、デジタルカメラの画像を直接写真用紙に印刷する用途などの分野における需要が高まっている。
【０００３】
インクジェット記録装置では、写真などの高精彩な画像記録を可能にするため、年々吐出するインク滴の大きさが小さくなる傾向にある。記録ヘッドから吐出されたインク滴は空気中を飛翔して記録媒体に着弾することで画像を形成するが、このとき同時に、記録媒体に到達せずに空気中に浮遊するきわめて微小なインク滴が発生する。このような微小なインク滴から成る霧状のインクをインクミストと称する。また、インクジェット記録装置では、記録ヘッドのインク吐出性能を維持回復するための一処理操作として、装置本体内に配設したインク受け部（予備吐出インク受け部）に向けて所定のタイミングでインクを吐出する予備吐出が行われるが、この場合のインク受け部までの距離は上記記録媒体までの距離よりも遠いため、この予備吐出によってもかなりの量のインクミストが発生する。
【０００４】
記録装置内に浮遊するインクミストは、装置開口部から機外へ排出される場合もあるが、その多くは記録装置内部に付着する。インクミストは非常に微小なインク滴であるが、大量に付着すると記録装置の動作に対してさまざまな障害を起こす。特に制御手段である電気回路基板に大量に付着すると、回路基板上の隣り合う導体露出部の間で連続したインク滴となって電気回路をショートさせ、記録装置の誤動作を起こす場合がある。インクジェット記録装置の制御手段としての回路基板には、演算素子を搭載したメイン基板、並びに記録装置内にスイッチ、センサ及びモータなどを配置するためのパネル基板から成る小基板などがあるが、近年、装置の小型化や高機能化及び操作性向上などにつれて、多数の小基板が配置されるようになっている。
【０００５】
記録装置では、ユーザーが電源のオンオフやエラー解除、印字モードの設定などの操作を行うためのスイッチ素子が搭載された回路基板としてのパネル基板は、装置本体の中央上部に配置されることが多い。図１０はインクジェット記録装置におけるパネル基板の配設状態の一例を示すための模式的分解斜視図である。図１０のインクジェット記録装置においても、回路基板としてのパネル基板７０３は装置本体の中央上部に配置されており、該パネル基板７０３の上側には外装部材としての上ケース８０１が取り付けられている。図１０のインクジェット記録装置では、ＬＣＤ２６等が搭載されるパネル基板７０３は、シャーシ７０１の中央上部にＬＣＤスペーサ１００を介して取り付けられている。
【０００６】
インクジェット記録装置は、インクタンクカートリッジを記録ヘッドに装着した状態で記録を行い、インクを使い切るとユーザーがインクタンクカートリッジを交換する形態を採るものが多い。そのような記録装置では、インクタンクカートリッジの交換を容易にするため、記録ヘッドを記録装置の前面上方に配置し、ユーザーが記録装置の前方や上方からインクタンクカートリッジの交換作業を行うように構成されている。従って、インクジェット記録装置においては、装置本体の中央上部に配置されるパネル基板７０３（図１０）は、装置本体内部の記録ヘッドの近傍に配置されることになる。そのため、前記パネル基板７０３には、インクミストが大量に付着しやすい位置に配置されることが多く、インクミストが付着して誤動作を起こす可能性が高いという不都合があった。
【特許文献１】特開平１０−００６６１２号公報
【発明の開示】
【発明が解決しようとする課題】
【０００７】
しかしながら、インクミストが付着しないようにカバー部材を設けたり、回路基板上の導体露出部間の間隔を広くとったりすると、装置が大型化したり、回路基板が大型化してコストアップの要因となる場合があった。本発明はこのような技術的課題に鑑みてなされたものであり、本発明の目的は、装置の大型化やコストアップを招くことなく、記録装置内に発生するインクミストに起因して回路基板にインクが付着した場合でも、インクミストによる導体露出部間のショートや該ショートに起因する誤動作を防止できる回路基板及び該回路基板を用いるインクジェット記録装置を提供することである。
【課題を解決するための手段】
【０００８】
本発明は、上記目的を達成するため、記録手段から記録媒体にインクを吐出して記録を行うインクジェット記録装置で用いられる回路基板において、制御素子が複数の導体露出部を介して実装され、該制御素子における隣り合う導体露出部間に貫通孔が形成されていることを特徴とする。
【０００９】
また、本発明は、上記目的を達成するため、記録媒体にインクを吐出して記録を行う記録手段と、制御手段としての回路基板と、を備えたインクジェット記録装置において、前記回路基板に制御素子が複数の導体露出部を介して実装され、該制御素子における隣り合う導体露出部の間の前記回路基板の部位に、該回路基板を貫通する貫通孔が形成されていることを特徴とする。
【発明の効果】
【００１０】
本発明によれば、装置の大型化やコストアップを招くことなく、記録装置内に浮遊したインクミストが回路基板の導体露出部にインク滴として付着した場合でも、貫通孔によって隣接する他の導体露出部との間でインクを分断することができ、それによって、インクミストによる導体露出部間のショートや該ショートに起因する誤動作を防止できる回路基板及び該回路基板を用いるインクジェット記録装置が提供される。
【発明を実施するための最良の形態】
【００１１】
以下、図面を参照して本発明の実施の形態を具体的に説明する。なお、各図面を通して同一符号は同一又は対応部分を示すものである。また、ここでは、主として記録媒体が記録用紙（紙等）である場合を例に挙げて説明するが、本発明は、プラスチックシート、布、陶器あるいは金属などで記録媒体として使用できるものに対して広く適用可能なものである。図１は本発明を適用した回路基板が装着されるインクジェット記録装置の外装以外の概略構成を示す模式的斜視図である。
【００１２】
図１において、本実施形態に係るインクジェット記録装置は、不図示の記録媒体としての記録用紙を装置本体内へ自動的に給送する自動給紙機構１００と、自動給紙機構１００から１枚ずつ送給される記録用紙を記録領域を通して搬送（紙送り）するとともに装置本体外へ送り出す搬送機構２００と、搬送機構２００の搬送方向下流側に位置する排出機構３００と、記録領域を通して搬送される記録用紙（記録シート）に記録データに基づいた記録を行う記録機構４００と、記録機構４００の記録手段としての記録ヘッド５０１のインク吐出性能を維持回復するための回復機構６００と、を備えている。
【００１３】
これらの各機構部は、装置本体のシャーシ７０１を中心としてほぼ一体に構成され、回路基板等から成る制御手段によって連携して駆動されることにより画像形成動作を行っている。記録用紙の搬送方向は図１中の矢印Ａ方向であり、記録ヘッド５０１を搭載したキャリッジ４０１はガイドシャフト４０２及びガイドレール３０５に沿って両矢印Ｂ方向に往復移動可能に案内支持されている。また、キャリッジ４０１上には、記録ヘッド５０１に対して着脱可能なカートリッジタイプのインクタンクが搭載されている。本実施形態のインクタンクは、ブラックインクタンクカートリッジ５０３と、シアン、マゼンタ及びイエローの３色一体のカラーインクタンクカートリッジ５０４とで構成されている。図１の記録装置では、装置本体の中央上部に、パネル基板７０３が略水平方向の姿勢で配置されている。
【００１４】
記録手段としての記録ヘッド５０１は、各インクタンク５０３、５０４から供給される各色インクを記録情報に応じて所定色の各吐出口（吐出口列）から吐出させて記録するインクジェット記録ヘッドである。この記録ヘッド５０１の吐出口面（吐出口配設面）５０１ａには、各インク色ごとに、例えば副走査方向に１２００ｄｐｉ（ドット／インチ）の密度で１２８０個の吐出口が配列されている。そして、各吐出口に連通したインク流路（液路）内には、インクを局所的に加熱して膜沸騰を起こさせ、その圧力によってインクを吐出させるための電気熱変換体が設けられている。
【００１５】
つまり、記録手段としての記録ヘッド５は、インクを吐出するために利用される熱エネルギーを発生する電気熱変換体を備えているインクジェット記録手段であり、この電気熱変換体によって印加される熱エネルギーによりインクに生ずる膜沸騰により気泡を発生させ、発泡によって生じる圧力（エネルギー）を利用して吐出口よりインクを吐出させるものである。もちろん、本発明の実施に当たっては、電気機械変換体を備え、振動エネルギー等の機械エネルギーによりインクを吐出させる方式など、他の方式のインクジェット記録ヘッドを使用しても良い。
【００１６】
図２は図１のインクジェット記録装置からさらに内部の各機構を除いて下ケースの部分を示す模式的斜視図である。図２において、図１のインクジェット記録装置の下ケース８０２の内面には制御手段としてのメイン制御基板（メイン回路基板）７０２が装着されている。図１中のパネル基板７０３に設けられたスイッチ素子等の各種の制御素子、並びにその他の記録動作機構に設けられたスイッチ、センサ及びモータ等は、不図示の電気配線によりメイン制御基板７０２に接続されており、該電気配線を介して制御信号が伝達される。
【００１７】
図３は本発明を適用した回路基板が装着されるインクジェット記録装置の記録機構（記録動作部）４００の記録（印刷）中の状態を装置正面から見て示す模式的正面図であり、図４は図３の記録機構４００の予備吐出時の状態を装置正面から見て示す模式的正面図である。図３及び図４において、キャリッジ４０１は装置本体に設置されたガイドシャフト４０２に沿って往復移動可能に支持されており、該キャリッジ４０１に搭載された記録ヘッド５０１の１回の移動（走査）で１ライン（１バンド）分の記録が行われる。すなわち、キャリッジ４０１の１回の走査の間に、記録ヘッド５０１の吐出口面（吐出口配設面）５０１ａに形成された吐出口（吐出口列）から記録データに基づいてインクを吐出することにより、プラテン２０３上に保持された記録用紙Ｐの上に吐出口面５０１ａの吐出口列の長さに相当する幅の１ライン分の画像記録が行われる。
【００１８】
１ライン分の記録が終了すると、搬送ローラ２０１（図１）の回転によって記録用紙Ｐを所定ピッチだけ紙送りし、次いで再びキャリッジ４０１の走査による次のラインの画像記録を行う。このような記録動作を繰り返すことにより記録用紙Ｐの全体に対する記録（画像形成）が行われる。この記録動作において記録ヘッド５０１の各吐出口から吐出されるインク滴は数ピコリットルといった小さなものであり、このインク滴が吐出口面５０１ａと記録用紙Ｐとの間の空隙を飛翔して該記録用紙に着弾することで画像が形成される。このとき、同時に、主たるインク滴（主滴という）の他にきわめて微小な副次的なインク滴（インクミストという）が発生する。このインクミストは、記録用紙Ｐには到達せず空気中を浮遊し、霧状を呈するようになる。
【００１９】
記録中では、図３に示すように、上記インクミストは記録ヘッド５０１と記録用紙Ｐとの間の空隙内で発生するが、キャリッジ４０１が図中矢印Ｂ方向に走査（移動）すると発生箇所の上方に空間が開けるため、このインクミストは矢印で示すように上昇してキャリッジ４０１の走行空間全体に広がる。こうして広がったインクミストは、さらにキャリッジ４０１の移動で発生する気流によって記録装置内に拡散される。
【００２０】
本実施形態に係るインクジェット記録装置では、所定のタイミングで、図４に示すように、回復機構（回復ユニット）６００に設けられた予備吐出インク受け部６０１に向けてインク吐出（予備吐出）が行われる。この場合、記録ヘッド５０１（吐出口面５０１ａ）からインク受け部６０１までの距離は、該記録ヘッドから記録媒体Ｐまでの距離より大きく設定されている。従って、予備吐出の際にも、インク受け部６０１に到達するインク滴（主滴）の他に、上記記録中に発生するインクミストと同様の、該インク受け部６０１に到達せずに空気中に浮遊するインクミストがかなりの量で発生する。
【００２１】
この予備吐出の場合も、インクミストは記録ヘッド５０１と予備吐出インク受け部６０１との空隙内で発生するが、予備吐出動作を終了してキャリッジ４０１が記録動作等のために移動すると、発生箇所の上方に空間が開けるため、このインクミストも図４中に矢印で示すように上昇してキャリッジ４０１の走行空間全体に広がる。こうして広がったインクミストは、さらにキャリッジ４０１の移動で発生する気流によって記録装置内に拡散される。
【００２２】
以上のような記録動作や予備吐出によって発生したインクミストの一部は、キャリッジ４０１の移動で生じる気流などによって記録用紙排出口や装置開口部などから機外に排出される。しかし、発生したインクミストの大部分は、記録装置内を浮遊し、徐々に降下してガイドシャフト４０２やプラテン２０３、さらにはメイン基板７０２（図２）やパネル基板７０３（図１、図３、図４）等の回路基板（制御基板）など、記録装置内の各箇所にところかまわず付着する。その際、インクミストは重力の影響により降下するので、記録装置内の水平面を成す部位に多くのインクミストが付着する傾向がある。記録装置内に装着される制御手段としてのメイン基板７０２やパネル基板７０３などの回路基板は、一般に水平方向に配置されており、インクミストが付着しやすい前記水平面を成す部位を有する典型的な部材（部品）である。
【実施例１】
【００２３】
図５は本発明を適用したインクジェット記録装置の実施例１に係る回路基板としてのパネル基板７０３の構成を示す模式的平面図であり、図６は図５中の線６−６に沿ってパネル基板７０３及びその近傍の構成を示す模式的縦断面図である。図５及び図６において、制御手段の一つであるパネル基板７０３には少なくとも１つの制御素子７０４が半田付け等により実装されている。本実施例における制御素子７０４は、例えばユーザー操作により電源のオンオフやエラー解除、あるいは印字モードの設定などを行うためのスイッチ素子で構成されている。スイッチ素子７０４の両側に２個ずつ合計４個の端子７０４ａ、７０４ｂ、７０４ｃ、７０４ｄが設けられている。
【００２４】
回路基板としてのパネル基板７０３の上面には、スイッチ素子７０４の複数の端子７０４ａ〜７０４ｄのそれぞれに対応して複数（４個）の導体露出部７０５ａ、７０５ｂ、７０５ｃ、７０５ｄが設けられている。前記制御素子としてのスイッチ素子７０４は、各端子７０４ａ〜７４ｄをそれぞれ対応する導体露出部７０５ａ〜７０５ｄに半田付け等で固着することにより実装されている。そこで、隣り合う導体露出部の間、すなわち、本実施例では図示左側の導体露出部７０５ａと７０５ｂの間、並びに、図示右側の導体露出部７０５ｃと７０５ｄの間に、それぞれ、パネル基板７０３を裏表方向に貫通する貫通孔７０６が形成されている。
【００２５】
図１１は図５及び図６に示すパネル基板において上記貫通孔７０６を設けない場合の構成を示す模式的平面図である。図１１に示すパネル基板は、貫通孔７０６を有しない点のみで図５及び図６の構成と相違しており、その他の点では実質上同じ構成を有しており、それぞれ対応する部分を同一符号で示し、それらの詳細説明は省略する。そこで、次に、図５及び図６に示した本実施例に係る回路基板（パネル基板）７０３の作用効果について、図１１の構成と比較しながら説明する。
【００２６】
インクジェット記録装置で記録（印刷）を行うと、記録ヘッド５０１からのインク吐出に伴って発生するインクミストは、略水平面であるパネル基板７０３上に付着する。個々のインクミストは非常に微小なインク滴であるが、高精彩な写真等を多数枚印刷するなどすると、パネル基板７０３上に多量のインクミストが降り積もり、やがて連続したインク滴Ｍとなって付着する。図１１の貫通孔７０６を有しないパネル基板７０３においては、スイッチ素子７０４の左側の端子７０４ａと７０４ｂとの間（従って、左側の導体露出部７０５ａと７０５ｂとの間）、あるいは右側の端子７０４ｃと７０４ｄとの間（従って、左側の導体露出部７０５ｃと７０５ｄとの間）にインク滴Ｍが付着すると、該インク滴により端子間（もしくは導体露出部間）で電気的なショート（短絡）が発生する。そのため、スイッチ素子７０４を押していないにも関わらず、押した状態の電気信号が発信され、装置が誤作動を起こす場合があった。
【００２７】
これに対し、図５及び図６に示す本実施例に係るインクジェット記録装置の回路基板（パネル基板）７０３においては、スイッチ素子７０４の左側の端子７０４ａと７０４ｂとの間（従って、左側の導体露出部７０５ａと７０５ｂとの間）、あるいは右側の端子７０４ｃと７０４ｄとの間（従って、左側の導体露出部７０５ｃと７０５ｄとの間）にインク滴Ｍが付着しても、これらの端子（導体露出部）間に回路基板７０３の裏表方向に貫通する貫通孔７０６が設けられているので、付着したインク滴Ｍは該貫通孔によって完全に分断されることになる。そのため、スイッチ素子７０４の端子間（もしくは導体露出部間）がショート（短絡）することはない。
【００２８】
その場合、図５に示すような構成では、最も少ないインク滴Ｍでショートする可能性があるケースは、隣接する（対向する）導体露出部７０５ａ、７０５ｂの間を直線で結んだ最短距離部である。従って、インク滴Ｍによるショートを確実に防止するためには、貫通孔７０６は隣接する導体露出部７０５ａ、７０５ｂの少なくとも一方より長く伸延するように形成されていることが好ましい。なお、貫通孔７０６を挟んで隣接配置（対向配置）された導体露出部（もしくは端子）では、該貫通孔７０６を迂回する道のり距離をできるだけ長く取ることにより、インクミストがさらに多く付着した場合でも該導体露出部間（もしくは端子間）でショート（短絡）に至る可能性を更に減らすことができるので、該貫通孔７０６はなるべく長く伸延させることが好ましい。
【００２９】
図６において、制御素子としてのスイッチ素子７０４は、その底面中央部で制御手段としての回路基板（パネル基板）７０３と当接している。記録装置本体の上ケース８０１に取り付けられたパネルキー８０３をユーザーが押すことにより、スイッチ素子７０４の中央ボタン部７０４ｅが該パネルキー８０３によって押圧され、電気信号が発生する。この場合の押圧力は、スイッチ素子７０４の底面を介してパネル基板７０３の当接部、すなわち制御素子保持部材（スイッチ素子保持部材）７０３ａによって支持（保持）される。
【００３０】
つまり、スイッチ押圧力がシャーシ７０１に装着された回路基板７０３によって確実に支持されるので、スイッチ素子７０４の端子７０４ａ〜７０４ｄ自体や、各導体露出部７０５ａ〜７０５ｄ自体や、各端子７０４ａ〜７０４ｄと各導体露出部７０５ａ〜７０５ｄとの間の半田付け部に応力がかかることがない。そのため、スイッチ素子７０４の繰り返し操作や衝撃的な操作に対するスイッチ素子実装部の変形や破壊を防ぐことができる。なお、本実施例においては、スイッチ素子７０４がその中央部底面でパネル基板７０３と当接する形態としたが、スイッチ素子７０４の押圧力が均等に受けられる配置であれば、当接部は必ずしも中央部でなくても良い。
【実施例２】
【００３１】
図７は本発明を適用したインクジェット記録装置の実施例２に係る回路基板及びその近傍の構成を示す模式的縦断面図である。図７において、本実施例に係る回路基板としてのパネル基板７０３では、制御素子の１つであるスイッチ素子７０４の底面（図示の例ではその中央部を含む大部分の領域）はシャーシ７０１に設けられた突出部７０１ａに当接している。この突出部７０１ａは制御素子（スイッチ素子）保持部材を構成している。本実施例はこの点で前述の実施例１と相違しているが、その他の点では実質上同じ構成を有しており、対応する部分は同一符号で示されている。従って、この実施例２によっても前述の実施例１の場合と同様の作用効果が得られる。
【００３２】
また、実施例２では、上記のようにシャーシ７０１の一部７０１ａを制御素子（スイッチ素子）保持部材としてスイッチ素子７０４を保持固定するように構成されている。そのため、実施例１の場合と同様、剛性が高くかつ精度良くスイッチ素子７０４を保持固定することができ、スイッチ押圧操作などにおけるスイッチ素子７０４と上ケース８０１やパネルキー８０３との相対位置の寸法ばらつきを無くすことができ、パネルキー８０３の信頼性や操作感を向上させることができる。
【実施例３】
【００３３】
図８は本発明を適用したインクジェット記録装置の実施例３に係る回路基板の構成を示す模式的平面図であり、図９は図８中の線９−９に沿って回路基板及びその近傍の構成を示す模式的縦断面図である。図８及び図９において、本実施例に係る回路基板としてのパネル基板７０３は、記録装置のシャーシ７０１に対して略垂直に水平方向に張り出すように配置されており、その下面に制御素子としてのスイッチ素子７０４が実装されている。スイッチ素子７０４には上方向に延びる複数（４本）の端子７０４ａ、７０４ｂ、７０４ｃ、７０４ｄが設けられており、パネル基板７０３の上面には各端子７０４ａ〜７０４ｄのそれぞれに対応する導体露出部７０５ａ〜７０５ｄが設けられている。各端子７０４ａ〜７０４ｄは、対応する導体露出部７０５ａ〜７０５ｄのそれぞれに、半田付け等で電気的に接続されている。そして導体体露出部７０５ａ及び７０５ｂと導体露出部７０５ｃ及び７０５ｄとの間で長く伸延するような位置に、パネル基板７０３の裏表を貫通する貫通孔７０６が形成されている。
【００３４】
このような構成によれば、パネル基板７０３上にインクミストが多量に降り積もり、やがて連続したインク滴Ｍとなって付着した場合でも、貫通孔７０６によってインク滴が分断されるので、前述の実施例の場合と同様、スイッチ素子７０４の端子間（又は導体露出部間）におけるショート（短絡）を防止することができる。この場合も、最も少ないインク滴Ｍでショートする可能性があるケースは、対向する導体露出部間を直線で結んだ最短距離部であるので、ショートを確実に防止するためには、貫通孔７０６の長さを導体露出部間を完全にカバーして遮断するような長さに選定することが好ましい。また、インクミストがさらに多く付着した場合でも導体露出部間（もしくは端子間）でショート（短絡）に至る可能性を更に減らすことが要請される場合には、貫通孔７０６を迂回する道のり距離ができるだけ長くなるように、貫通孔７０６をなるべく長く伸延させることが好ましい。
【００３５】
図９において、スイッチ素子７０４のボタン部７０４ｅが設けられる面（図示右側の面）と反対側の面（図示左側の面）には、シャーシ７０１が当接している。このシャーシ７０１の当接部７０１ｂは制御素子（スイッチ素子）保持部材として機能するものである。すなわち、スイッチ素子７０４のボタン部７０４ｅは、不図示のパネルキーを介して横方向から（図示右側から）ユーザーに押圧されて電気信号が発生するが、この押圧力はスイッチ素子７０４の底面（図示左側の面）を介してシャーシ７０１の一部（支持部）７０１ｂにより保持（支持）される。従って、スイッチ操作する場合でも、スイッチ素子７０４の端子７０４ａ〜７０４ｄ及び導体露出部７０５ａ〜７０５ｄとの間の半田付け部に外力が作用することはない。そのため、スイッチ素子７０４の繰り返し操作に対しても、スイッチ素子実装部の破壊を防ぐことができる。また、スイッチ素子７０４はシャーシ７０１によって剛性が高くかつ精度よく位置決め保持されるので、不図示の上ケースやパネルキーとの間の相対位置の寸法ばらつきが抑えられ、パネルキーの信頼性や操作感を一層向上させることができる。
【００３６】
図８及び図９の実施例３は、以上説明した以外の点では実施例１もしくは実施例２の場合と実質上同じ構成をゆうしており、それぞれ対応する部分を同一符号で示し、それらの詳細説明は省略する。従って、この実施例３によっても前述の実施例１又は実施例２の場合と実質上同様の作用効果が得られる。
【００３７】
以上説明した実施例によれば、記録装置内に浮遊したインクミストが回路基板７０３上に多量に付着してインク滴Ｍが生じた場合でも、貫通孔７０６によって各導体露出部７０５ａ〜７０５ｄの間（もしくは制御素子７０４の各端子７０４ａ〜７０ｄの間）でインクを分断することができ、従って、導体露出部間（もしくは端子間）におけるインクミストによるショートを確実に防止することができる信頼性の高い回路基板及び該回路基板を用いるインクジェット記録装置が提供される。
【００３８】
また、以上説明した実施例によれば、制御素子としてのスイッチ素子７０４の押圧操作面（ボタン部）７０４ｅの反対側の面（底面）に当接する制御素子（スイッチ素子）保持部材を設けたので、制御素子７０４の実装部に外力（応力）が作用しないようにすることができ、制御素子７０４の繰り返し操作に対する該制御素子実装部の変形や破壊を防ぐことができる信頼性の高い回路基板及び該回路基板を用いるインクジェット記録装置が提供される。
【００３９】
なお、以上の実施形態においては、記録手段（記録ヘッド）を記録媒体に対して相対移動させながら記録するシリアル記録方式のインクジェット記録装置を例に挙げて説明したが、本発明は、記録媒体の全幅又は一部をカバーする長さのラインタイプの記録ヘッドを用いて副走査のみで記録するライン記録方式のインクジェット記録装置に対しても同様に適用することができ、同様の効果を達成し得るものである。また、本発明は、１個の記録ヘッドを用いる記録装置、異なる色のインクで記録する複数の記録ヘッドを用いるカラー記録装置、あるいは同一色彩で異なる濃度で記録する複数の記録ヘッドを用いる階調記録装置、さらには、これらを組み合わせた記録装置の場合にも、同様に適用することができ、同様の効果を達成し得るものである。
【００４０】
さらに、本発明は、記録ヘッドとインクタンクを一体化した交換可能なインクカートリッジを用いる構成、記録ヘッドとインクタンクを別体にし、その間をインク供給用チューブ等で接続する構成など、記録ヘッドとインクタンクの配置構成がどのような場合にも同様に適用することができ、同様の効果が得られるものである。なお、本発明は、インクジェット記録装置が、例えば、ピエゾ素子等の電気機械変換体等を用いる記録手段を使用するものである場合にも適用できるが、中でも、熱エネルギーを利用してインクを吐出する方式の記録手段を使用するインクジェット記録装置において優れた効果をもたらすものである。かかる方式によれば、記録の高密度化、高精細化が達成できるからである。
【図面の簡単な説明】
【００４１】
【図１】本発明を適用した回路基板が装着されるインクジェット記録装置の外装以外の概略構成を示す模式的斜視図である。
【図２】図１のインクジェット記録装置からさらに内部の各機構を除いて下ケースの部分を示す模式的斜視図である。
【図３】本発明を適用した回路基板が装着されるインクジェット記録装置の記録機構の記録中の状態を装置正面から見て示す模式的正面図である。
【図４】図３の記録機構の予備吐出時の状態を装置正面から見て示す模式的正面図である。
【図５】本発明を適用したインクジェット記録装置の実施例１に係る回路基板の構成を示す模式的平面図である。
【図６】図５中の線６−６に沿って実施例１に係る回路基板及びその近傍の構成を示す模式的縦断面図である。
【図７】本発明を適用したインクジェット記録装置の実施例２に係る回路基板及びその近傍の構成を示す模式的縦断面図である。
【図８】本発明を適用したインクジェット記録装置の実施例３に係る回路基板の構成を示す模式的平面図である。
【図９】図８中の線９−９に沿って回路基板及びその近傍の構成を示す模式的縦断面図である。
【図１０】インクジェット記録装置におけるパネル基板の配設状態の一例を示すための模式的分解斜視図である。
【図１１】図５及び図６に示す回路基板において貫通孔を設けない場合の構成を示す模式的平面図である。
【符号の説明】
【００４２】
１００      自動給紙機構
２００      搬送機構
２０１      搬送ローラ
２０３      プラテン
３００      排出機構
３０５      ガイドレール
４００      記録機構
４０１      キャリッジ
４０２      ガイドシャフト
５０１      記録手段（記録ヘッド）
５０１ａ    吐出口面（吐出口配設面）
５０３      ブラックインクタンクカートリッジ
５０４      カラーインクタンクカートリッジ
６００      回復機構
６０１      予備吐出インク受け部
７０１      シャーシ
７０１ａ    突出部（制御素子保持部材）
７０１ｂ    支持部（当接部、制御素子保持部材）
７０２      メイン制御基板（メイン回路基板）
７０３      回路基板（パネル基板）
７０３ａ    制御素子保持部材
７０４      制御素子（スイッチ素子）
７０４ａ〜７０４ｄ      端子
７０４ｅ    ボタン部
７０５ａ〜７０５ｄ      導体露出部
７０６      貫通孔
８０１      上ケース
８０２      下ケース
８０３      パネルキー
Ｐ          記録媒体（記録用紙）
【図１】
2005161764.tif 000003
【図２】
2005161764.tif 000004
【図３】
2005161764.tif 000005
【図４】
2005161764.tif 000006
【図５】
2005161764.tif 000007
【図６】
2005161764.tif 000008
【図７】
2005161764.tif 000009
【図８】
2005161764.tif 000010
【図９】
2005161764.tif 000011
【図１０】
2005161764.tif 000012
【図１１】
2005161764.tif 000013